(57)【要約】【課題】タック値の測定試験終了後に、ロール表面に付着したインキを自動的に洗浄除去することができるインコメータのロール洗浄装置及びロール洗浄方法を提供する。【解決手段】駆動装置により回転される駆動ロール１と、該駆動ロール１に接触して回転する少なくとも２個の被動ロール２，３とからなるロール群によってインキのタック値を測定するインコメータ１０において、前記ロール群に洗浄溶剤を供給する洗浄溶剤供給機構２０と、該洗浄溶剤で溶かしたインキをロール表面から掻き取る掻取機構３０を備えてある。【選択図】図１
2010091498.tif 000002
【特許請求の範囲】
【請求項１】
駆動装置により回転される駆動ロールと、該駆動ロールに接触して回転する少なくとも２個の被動ロールとからなるロール群によってインキのタック値を測定するインコメータにおいて、前記ロール群に洗浄溶剤を供給する洗浄溶剤供給機構と、該洗浄溶剤で溶かしたインキをロール表面から掻き取る掻取機構を備えたインコメータのロール洗浄装置。
【請求項２】
前記掻取機構が、前記ロール群の一のロール表面に当接可能に設けたスクレーパーと、該スクレーパーをロール表面に対して当接位置と退避位置に進退させるスクレーパー進退装置とからなる請求項１に記載のインコメータのロール洗浄装置。
【請求項３】
ロール洗浄時に前記駆動ロールに接触して同期回転する補助ロールを有し、該補助ロールに前記掻取機構を備えた請求項１又は２に記載のインコメータのロール洗浄装置。
【請求項４】
前記ロール群に洗浄溶剤を供給する供給量と、該洗浄溶剤が前記ロール群全体に行き渡るように前記駆動ロールを回転させて待機する待機時間と、回転している前記ロール群のロール表面から前記洗浄溶剤で溶かしたインキを掻き取る掻取時間の各パラメータに基づいて制御する制御手段を備えた請求項１乃至３の何れか一項に記載のインコメータのロール洗浄装置。
【請求項５】
前記制御手段が、測定されたインキのタック値に応じて各パラメータを変更するパラメータ変更手段を備えた請求項４に記載のインコメータのロール洗浄装置。
【請求項６】
前記制御手段が、タック値の変化率によって待機時間の終了を検知する検知手段を備えた請求項４又は５に記載のインコメータのロール洗浄装置。
【請求項７】
駆動装置により回転される駆動ロールと、該駆動ロールに接触して回転する少なくとも２個の被動ロールとからなるロール群によってインキのタック値を測定するインコメータにおいて、前記ロール群に洗浄溶剤を供給する洗浄溶剤供給工程と、該洗浄溶剤が前記ロール群全体に行き渡るように前記駆動ロールを回転させて待機する待機工程と、回転している前記ロール群のロール表面から前記洗浄溶剤で溶かしたインキを掻き取る掻取工程とからなるインコメータのロール洗浄方法。
【発明の詳細な説明】
【技術分野】
【０００１】
本発明は、インキのタック値を測定するインコメータのロール洗浄装置及びロール洗浄方法に関する。
【背景技術】
【０００２】
インコメータは、少なくとも三つのロールからなるロール群によって、インキのタック値（粘着性）を測定している。一つめのロールは、駆動装置により一定の速度で回転され、一定の温度に保持された金属ロール（駆動ロール）である。二つめのロールは、該金属ロールに接触して、その摩擦力により回転するトップロール（被動ロール）であり、ロードセルに接続されて平衡状態の位置からロールの位置が変化するときのトルクを測定して、インキのタック値を求めている。三つめのロールは、上記金属ロールに接触して振動を付与するバイブレーションロール（被動ロール）である（例えば、特許文献１参照）。
【０００３】
【特許文献１】実用新案登録第２５４５１２８号公報
【発明の開示】
【発明が解決しようとする課題】
【０００４】
インコメータの測定には、異なる種類のインキが混ざり合わないように、測定毎にロールの洗浄が不可欠である。従来のインコメータでは、測定者が布と洗浄溶剤を使用して、手作業によりロールに付着したインキを拭き取っていた。従って、従来のインコメータでは、ロールの洗浄作業が測定者の負担になるという問題があった。
そこで、本発明は、タック値の測定試験終了後に、ロール表面に付着したインキを自動的に洗浄除去することができるインコメータのロール洗浄装置及びロール洗浄方法を提供するものである。
【課題を解決するための手段】
【０００５】
本発明は、上記課題を解決するために、駆動装置により回転される駆動ロールと、該駆動ロールに接触して回転する少なくとも２個の被動ロールとからなるロール群によってインキのタック値を測定するインコメータにおいて、前記ロール群に洗浄溶剤を供給する洗浄溶剤供給機構と、該洗浄溶剤で溶かしたインキをロール表面から掻き取る掻取機構を備えたインコメータのロール洗浄装置を提供するものである。
【０００６】
また、本発明のインコメータのロール洗浄装置は、前記掻取機構が、前記ロール群の一のロール表面に当接可能に設けたスクレーパーと、該スクレーパーをロール表面に対して当接位置と退避位置に進退させるスクレーパー進退装置とからなる。
【０００７】
また、本発明のインコメータのロール洗浄装置は、ロール洗浄時に前記駆動ロールに接触して同期回転する補助ロールを有し、該補助ロールに前記掻取機構を備えてある。
【０００８】
また、本発明のインコメータのロール洗浄装置は、前記ロール群に洗浄溶剤を供給する供給量と、該洗浄溶剤が前記ロール群全体に行き渡るように前記駆動ロールを回転させて待機する待機時間と、回転している前記ロール群のロール表面から前記洗浄溶剤で溶かしたインキを掻き取る掻取時間の各パラメータに基づいて制御する制御手段を備えてある。
【０００９】
また、本発明のインコメータのロール洗浄装置は、前記制御手段が、測定されたインキのタック値に応じて各パラメータを変更するパラメータ変更手段を備えてある。
【００１０】
また、本発明のインコメータのロール洗浄装置は、前記制御手段が、タック値の変化率によって待機時間の終了を検知する検知手段を備えてある。
【００１１】
また、本発明は、駆動装置により回転される駆動ロールと、該駆動ロールに接触して回転する少なくとも２個の被動ロールとからなるロール群によってインキのタック値を測定するインコメータにおいて、前記ロール群に洗浄溶剤を供給する洗浄溶剤供給工程と、該洗浄溶剤が前記ロール群全体に行き渡るように前記駆動ロールを回転させて待機する待機工程と、回転している前記ロール群のロール表面から前記洗浄溶剤で溶かしたインキを掻き取る掻取工程とからなるインコメータのロール洗浄方法を提供するものである。
【発明の効果】
【００１２】
本発明のインコメータのロール洗浄装置は、駆動装置により回転される駆動ロールと、該駆動ロールに接触して回転する少なくとも２個の被動ロールとからなるロール群によってインキのタック値を測定するインコメータにおいて、前記ロール群に洗浄溶剤を供給する洗浄溶剤供給機構と、該洗浄溶剤で溶かしたインキをロール表面から掻き取る掻取機構を備えた構成を有することにより、タック値の測定試験終了後に、洗浄溶剤供給機構がロール群に洗浄溶剤を供給してロール表面に付着したインキを溶かし、掻取機構が溶けたインキをロール表面から掻き取るから、ロールを自動的に洗浄することができ、測定者の負担を大幅に軽減することができる効果がある。
【００１３】
また、本発明のインコメータのロール洗浄装置は、前記掻取機構が、前記ロール群の一のロール表面に当接可能に設けたスクレーパーと、該スクレーパーをロール表面に対して当接位置と退避位置に進退させるスクレーパー進退装置とからなることにより、インキ掻取時にのみスクレーパーがロール表面に当接して、洗浄溶剤で溶かされたインキをロール表面から確実に掻き取ることができる効果がある。
【００１４】
また、本発明のインコメータのロール洗浄装置は、ロール洗浄時に前記駆動ロールに接触して同期回転する補助ロールを有し、該補助ロールに前記掻取機構を備えてあることにより、タック値の測定に使用しない補助ロールを介してインキを掻き取るから、タック値の測定に使用するロールが傷付くのを阻止することができる。
【００１５】
また、本発明のインコメータのロール洗浄装置は、前記ロール群に洗浄溶剤を供給する供給量と、該洗浄溶剤が前記ロール群全体に行き渡るように前記駆動ロールを回転させて待機する待機時間と、回転している前記ロール群のロール表面から前記洗浄溶剤で溶かしたインキを掻き取る掻取時間の各パラメータに基づいて制御する制御手段を備えてあることにより、インキの種類に対応したパラメータによって、効率よく確実にロールを洗浄することができる効果がある。
【００１６】
また、本発明のインコメータのロール洗浄装置は、前記制御手段が、測定されたインキのタック値に応じて各パラメータを変更するパラメータ変更手段を備えてあることにより、測定されたインキのタック値に基づいて各パラメータを自動的に最適な値に設定することができる効果がある。
【００１７】
また、本発明のインコメータのロール洗浄装置は、前記制御手段が、タック値の変化率によって待機時間の終了を検知する検知手段を備えてあることにより、インキが洗浄溶剤で溶かされてタック値が急激に低下することによって待機時間の終了を検知することができ、効率よくロールを洗浄することができる効果がある。
【００１８】
また、本発明のインコメータのロール洗浄方法は、駆動装置により回転される駆動ロールと、該駆動ロールに接触して回転する少なくとも２個の被動ロールとからなるロール群によってインキのタック値を測定するインコメータにおいて、前記ロール群に洗浄溶剤を供給する洗浄溶剤供給工程と、該洗浄溶剤が前記ロール群全体に行き渡るように前記駆動ロールを回転させて待機する待機工程と、回転している前記ロール群のロール表面から前記洗浄溶剤で溶かしたインキを掻き取る掻取工程とからなる構成を有することにより、タック値の測定試験終了後に、ロール群に洗浄溶剤を供給してロール表面に付着したインキを溶かし、洗浄溶剤がロール群全体に行き渡った後に、洗浄溶剤で溶かしたインキをロール表面から掻き取るから、ロールを自動的に洗浄することができ、測定者の負担を大幅に軽減することができる効果がある。
【発明を実施するための最良の形態】
【００１９】
本発明の実施の形態を図示する実施例に基づいて説明する。
本発明に係るインコメータのロール洗浄装置は、駆動装置により回転される駆動ロール１と、該駆動ロール１に接触して回転する少なくとも２個の被動ロール２，３とからなるロール群によってインキのタック値を測定するインコメータ１０において、前記ロール群に洗浄溶剤を供給する洗浄溶剤供給機構２０と、該洗浄溶剤で溶かしたインキをロール表面から掻き取る掻取機構３０を備えてある。
【実施例１】
【００２０】
図１に示す実施例において、インコメータ１０は、金属ロール１と、ゴムで形成されたトップロール２及びバイブレーションロール３からなるロール群により、インキの粘着性を示すタック値を測定することができるように構成してある。
【００２１】
金属ロール１は、駆動装置（図示せず）により一定の速度で回転され、温調装置（図示せず）により一定の温度に保持された駆動ロールである。トップロール２は、金属ロール１の上部に接触して、その摩擦力により回転する被動ロールである。トップロール２の回転軸は、ロードセル（図示せず）に接続してあり、平衡状態の位置からロールの位置が変化するときのトルクを測定して、インキのタック値を求めることができるように構成してある。バイブレーションロール３は、金属ロール１の前部に接触して、その摩擦力により回転する被動ロールであり、金属ロール１に振動を付与して試料であるインキを分散することができるように設けてある。
【００２２】
図示の実施例において、洗浄溶剤供給機構２０は、洗浄溶剤を貯留する溶剤タンク２１と、洗浄溶剤の残量を検知する溶剤残量検知センサ２２と、ロール群に洗浄溶剤を供給する供給口２５から構成してある。供給口２５には、電磁弁２３を設けてあり、電磁弁２３を開閉制御して洗浄溶剤の供給量を制御することができるようにしてある。洗浄溶剤には、インキを溶かすことができる一般的な溶剤を使用することができる。
【００２３】
図示の実施例において、供給口２５は、洗浄溶剤をバイブレーションロール３の上部後側に滴下するように配置して、洗浄溶剤がバイブレーションロール３の回転方向（図中の矢印方向）に沿ってバイブレーションロール３と金属ロール１の間に流れ込むようにしてある。なお、供給口２５は、実施例の位置に限られず、洗浄溶剤をロール群全体に行き渡らせることができる任意の位置に配置することができ、複数箇所に配置することも可能である。また、供給口２５には、洗浄溶剤の流れを検知できる流れ検知センサ２４を設けてあることが好ましい。
【００２４】
図示の実施例において、掻取機構３０は、金属ロール１の表面へ斜め方向に当接可能に設けたスクレーパー３１と、スクレーパー３１を金属ロール１の表面に対して当接位置と退避位置に進退させるエアシリンダーなどのスクレーパー進退装置３２とから構成してある。実施例において、スクレーパー３１の先端部には、ゴムや合成樹脂などの柔軟性を有する素材からなる掻取部材を設けてあり、掻取部材をロール表面に沿わせてインキを掻き取るようにしてある。また、掻取機構３０の下方には、廃溶剤受３３を設けてあり、スクレーパー３１で掻き取ったインキを回収することができるようにしてある。
【００２５】
図示の実施例において、ロール洗浄装置には制御手段を備えてある。制御手段は、ロール群に洗浄溶剤を供給する供給量と、洗浄溶剤がロール群全体に行き渡るように金属ロール１を回転させて待機する待機時間と、回転している金属ロール１の表面から洗浄溶剤で溶かしたインキを掻き取る掻取時間の各パラメータを記憶してあり、該パラメータに基づいて洗浄工程をシーケンス制御することができるように構成してある。
【００２６】
制御手段は、電磁弁２３を開閉制御して洗浄溶剤の供給量を制御し、スクレーパー進退装置３２の進退を制御して掻取時間を制御している。また、制御手段は、電磁弁２３を閉じてからスクレーパー３１を金属ロール１に当接するまでの時間を制御して、待機時間を制御している。また、制御手段は、洗浄工程を繰り返し行う回数をパラメータとして記憶し、制御している。
【００２７】
制御手段は、インキの粘着性に対応して複数のパラメータを記憶してあり、適切なパラメータを選択してロールの洗浄を行うことができるように構成してある。また、制御手段は、インキのタック値と各パラメータを関連付けて記憶し、インコメータ１０で測定されたインキのタック値に応じて、各パラメータを適切な値に自動的に変更することも可能である。なお、制御手段は、各パラメータをインキのタック値を変数とした関数で記憶し、インコメータ１０で測定されたインキのタック値に基づいて、各パラメータを自動演算することができるように構成することも可能である。
【００２８】
また、ロール洗浄装置には、トップロール２の位置変化をトルクとしてロードセルに伝達するトルク伝達部材を固定して、ロール洗浄中にロードセルに不用意な力が作用するのを防止するロードセル保護装置を設けてあることが好ましい。
【００２９】
また、制御手段は、ロール洗浄時にタック値を測定し、タック値の変化率によって待機時間の終了を検知する検知手段を備えてある。スクレーパー進退装置３２は、待機時間の終了を検知したときに、スクレーパー３１を金属ロール１の表面に当接させて掻取工程を開始するようにしてある。待機時間の終了は、タック値の時間変化率や所定割合以上の減少によって検知することができる。
【００３０】
また、制御手段は、溶剤残量検知センサ２２により溶剤タンク２１内の洗浄溶剤の残量を検知し、流れ検知センサ２４により洗浄溶剤の供給量を検知することもできる。制御手段は、洗浄溶剤の残量が所定量以下のとき、又は、洗浄溶剤の供給量が不足しているときに、掻取機構３０の動作を停止させて、金属ロール１の駆動装置や掻取機構３０に過負荷が掛かるのを防止している。
【実施例２】
【００３１】
図２に示す実施例において、ロール洗浄装置は、ロール洗浄時に金属ロール１に接触して同期回転する補助ロール４を有し、この補助ロール４に掻取機構３０を備えてある。補助ロール４は、ゴムで形成され、金属ロール１を回転駆動する駆動装置により金属ロール１と逆方向に回転されるように設けてある。
【００３２】
補助ロール４は、エアシリンダーなどの進退装置（図示せず）により、金属ロール１に接触する位置と、金属ロール１から離れた退避位置に進退することができるように構成してある。補助ロール４は、インコメータ１０の測定時には一点鎖線で示す退避位置に位置し、測定が終了すると金属ロール１に接触する位置に移動して、ロールの洗浄を開始することができるようにしてある。洗浄溶剤供給機構２０及び掻取機構３０の構成は、図１に示す実施例と同様である。
【図面の簡単な説明】
【００３３】
【図１】本発明に係るインコメータのロール洗浄装置の一実施例を示す構成図。
【図２】本発明に係るインコメータのロール洗浄装置の他の実施例を示す構成図。
【符号の説明】
【００３４】
１  金属ロール（駆動ロール）
２  トップロール（被動ロール）
３  バイブレーションロール（被動ロール）
４  補助ロール
１０  インコメータ
２０  洗浄溶剤供給機構
２１  溶剤タンク
２２  溶剤残量検知センサ
２３  電磁弁
２４  流れ検知センサ
２５  供給口
３０  掻取機構
３１  スクレーパー
３２  スクレーパー進退装置
３３  廃溶剤受
【図１】
2010091498.tif 000003
【図２】
2010091498.tif 000004